(57)【要約】【課題】改善されたコンポーネント陳腐化レジストリを提供する。【解決手段】電子陳腐化レジストリは、ネットワークでユーザ検索可能な陳腐化情報を保持する。エンドユーザおよびコンポーネント製造業者は、陳腐化情報をその情報のハッシュタグを使用してポストすることができる。レジストリは、コンポーネント陳腐化情報の異なる部分について異なるエントリを有する。各エントリは、それぞれのコンポーネント専用ハッシュタグを用いる。エンドユーザは、あるコンポーネントと関連付けられた１または複数のハッシュタグを使用して、あるコンポーネントに関するコンポーネント陳腐化情報についてレジストリを検索する。【選択図】図１
2015118703.tif 000002
【特許請求の範囲】
【請求項１】
コンポーネント陳腐化情報を提供するコンピュータ方法であって、
コンポーネント陳腐化情報を保持するための電子陳腐化レジストリを提供するステップであって、前記レジストリは前記コンポーネント陳腐化情報の異なる部分について異なるエントリを有する、該提供するステップと、
前記レジストリ内の前記異なるエントリにおいてコンポーネント専用インデックスを用いるステップと、
エンドユーザが、１または複数のインデックスを使用して、あるコンポーネントに関するコンポーネント陳腐化情報について前記レジストリを検索できるようにするステップと
を備えたことを特徴とするコンピュータ方法。
【請求項２】
提供するステップは、グローバルコンピュータネットワークにおいて前記電子陳腐化レジストリをオンラインで提供すること含むことを特徴とする請求項１に記載の方法。
【請求項３】
前記電子陳腐化レジストリをオンラインで提供するステップは、ソーシャルネットワークサイト構造を通じて前記レジストリへのアクセスを提供することを含み、
前記異なるエントリは、前記ソーシャルネットワークの異なるメンバによる異なるポストであることを特徴とする請求項２に記載の方法。
【請求項４】
前記異なるエントリは、メッセージおよび前記メッセージのうちの１または複数についてのコメントを含むことを特徴とする請求項１に記載の方法。
【請求項５】
前記用いるステップは、あるエンティティがそれぞれのコンポーネント専用インデックスを維持できるようにすることをさらに含むことを特徴とする請求項１に記載の方法。
【請求項６】
前記用いるステップは、前記コンポーネント専用インデックスのうちの少なくとも１つにおいてコンポーネント識別子を利用することを特徴とする請求項１に記載の方法。
【請求項７】
用いるステップは、目的コンポーネントについて、前記目的コンポーネントの部品番号を使用して前記コンポーネントの前記コンポーネント専用インデックスを形成することを特徴とする請求項１に記載の方法。
【請求項８】
異なるユーザが前記レジストリ内で前記異なるエントリを作成できるようにすることをさらに備えたことを特徴とする請求項１に記載の方法。
【請求項９】
それぞれのエントリが前記レジストリ内で作成されるとき、エンドユーザがコンポーネント陳腐化情報を自動的に受信するように予約できるようにすることをさらに備えたことを特徴とする請求項８に記載の方法。
【請求項１０】
コンポーネント陳腐化情報を提供するコンピュータシステムであって、
コンポーネント陳腐化情報を保持するための電子陳腐化レジストリであって、前記レジストリは前記コンポーネント陳腐化情報の異なる部分について異なるエントリを有し、異なるエントリは異なるコンポーネント専用インデックスを用いる、該電子陳腐化レジストリと、
エンドユーザが、１または複数のインデックスを使用して、あるコンポーネントに関するコンポーネント陳腐化情報について前記レジストリを検索できるようにする検索エンジンモジュールと
を備えたことを特徴とするコンピュータシステム。
【請求項１１】
前記電子陳腐化レジストリは、グローバルコンピュータネットワークにおいてオンラインであることを特徴とする請求項１０に記載のコンピュータシステム。
【請求項１２】
前記電子陳腐化レジストリは、オンラインでありおよびソーシャルネットワークサイト構造用に構成され、
前記異なるエントリは、前記ソーシャルネットワークの異なるメンバによる異なるポストであることを特徴とする請求項１１に記載のコンピュータシステム。
【請求項１３】
前記異なるエントリは、メッセージと、前記メッセージのうちの１または複数についてのコメントとを含むことを特徴とする請求項１０に記載のコンピュータシステム。
【請求項１４】
前記レジストリは、あるエンティティがそれぞれのコンポーネント専用インデックスを維持することをさらにできるように構成されたことを特徴とする請求項１０に記載のコンピュータシステム。
【請求項１５】
前記レジストリは、前記コンポーネント専用インデックスのうちの少なくとも１つにおいてコンポーネント識別子を利用することを特徴とする請求項１０に記載のコンピュータシステム。
【請求項１６】
目的コンポーネントについて、前記レジストリは、前記目的コンポーネントの部品番号を使用して前記コンポーネントの前記コンポーネント専用インデックスを形成することを特徴とする請求項１０に記載のコンピュータシステム。
【請求項１７】
異なるユーザが前記レジストリ内で前記異なるエントリを作成できるようにする前記レジストリに対する第１のユーザインタフェースをさらに備えたことを特徴とする請求項１０に記載のコンピュータシステム。
【請求項１８】
それぞれのエントリが前記レジストリ内で作成されるとき、エンドユーザがコンポーネント陳腐化情報を自動的に受信するように予約できるようにする前記レジストリに対する第２のユーザインタフェースをさらに備えたことを特徴とする請求項１７に記載のコンピュータシステム。
【請求項１９】
前記インデックスは、ハッシュタグであることを特徴とする請求項１０に記載のコンピュータシステム。
【請求項２０】
非一過性コンピュータ可読媒体と、
１または複数のコンピュータを構成するために前記コンピュータ可読媒体上で具体化されるコンピュータプログラムコードと、
コンポーネント陳腐化情報を保持するための電子陳腐化レジストリを提供するステップであって、前記レジストリは前記コンポーネント陳腐化情報の異なる部分について異なるエントリを有する、該提供するステップと、
前記レジストリ内の前記異なるエントリにおいて、コンポーネント専用ハッシュタグを用いるステップと、
エンドユーザが、１または複数のハッシュタグを使用して、あるコンポーネントに関するコンポーネント陳腐化情報について前記レジストリを検索できるようにするステップと
を備えたことを特徴とするコンピュータプログラム製品。
【発明の詳細な説明】
【技術分野】
【０００１】
本実施形態は、設計時間に正しいコンポーネントが選択されることを確実にすることによって製品設計を支援する。開示される実施形態はまた、在庫戦略がコンポーネントの陳腐化状態を考慮に入れることを確実にすることによって在庫管理にも役立つ。
【背景技術】
【０００２】
インターネットなどのグローバルコンピュータネットワークは、（ソフトウェアアプリケーション設計を含む）新しいコンピューティングプラットフォームおよびアプリケーションを提供している。例えば、インターネット規模の分散コンピューティングは、いわゆるネットワークをプラットフォームコンピューティングとして提供する。プラットフォームとしてのネットワークは、（ウェブ対応アプリケーションとして構成される）アプリケーションがブラウザを介してすべて稼働できるようにする。さらに、プラットフォームとしてのネットワークは、ユーザがさまざまな役割を通じてまたは役割の範囲内で共同作業できるようにする。
【０００３】
所与のウェブ対応アプリケーションに関して、ユーザ／クライアント（分散オブジェクトアーキテクチャクライアント）は、それぞれのブラウザを通じてアプリケーションを実行する。ブラウザは、アプリケーションサーバ（分散オブジェクトサーバ）と通信する。加えて、ブラウザは、ウェブサーバと通信する。認証サービス、取引サービス、ネーミングサービス、アドミニストレーションサービス、およびセキュリティサービスなどの、多くのサービスは、アプリケーションサーバとウェブサーバとの両方で複製される。各ユーザ／クライアントは、典型的には、プラットフォームに別個に登録される。そして各ユーザ／クライアントは、ウェブサーバサービスのそれぞれのセットを実装する責任を負う。
【０００４】
ネットワークをプラットフォームとして使用するコンピュータ実装プログラムおよび協調システムの産業上の例は、製品ライフサイクル管理（ＰＬＭ）システムである。ＰＬＭソリューションは、企業が製品データを共有し、共通プロセスを適用し、そして製品の構想から寿命までの開発に関する企業知識を活用するのに役立つ、拡張された事業概念によるビジネス戦略を指す。この概念により、企業は、自社部門だけでなく、ビジネスパートナー、供給業者、相手先ブランド名製造業者（ＯＥＭ）、および顧客などの、他の関係者(actors)も含めて構成される。このような関係者を含むことによって、ＰＬＭは、このネットワークが製品およびプロセスを、概念化し、設計し、構築し、そしてサポートするための単一のエンティティとして機能するようにさせることができる。
【０００５】
ＰＬＭソリューションの中には、コンピュータ支援設計（ＣＡＤ）を含むことで知られる、コンピュータ支援技術がある。コンピュータ支援設計は、製品設計を作成する（ａｕｔｈｏｒｉｎｇ）ためのソフトウェアソリューションに関連する。同様に、ＣＡＥは、コンピュータ支援エンジニアリングの頭字語であり、例えば、将来向け製品の物理的振る舞いをシミュレートするためのソフトウェアソリューションに関連する。ＣＡＭは、コンピュータ支援製造を表し、典型的には、製造のプロセスおよびオペレーションを定義するためのソフトウェアソリューションを含む。一部のＰＬＭソリューションは、例えば、デジタルモックアップ（製品の３Ｄグラフィックモデル）を作成することによって製品を設計して開発することを可能にする。デジタル製品は最初に、適切なアプリケーションを使用して定義されてシミュレートされる。次に、リーンデジタル製造プロセスが定義されてモデル化される。
【０００６】
例えば、一般に、周知のＰＬＭソリューションは、製品エンジニアリング知識を体系化する手段、製造エンジニアリング知識を管理する手段、およびエンジニアリング知識センターと製造知識センターの両方への事業統合および事業結合を可能にするための手段、を提供する。全てが一体となったこのシステムは、製品、プロセス、リソースをリンクするオープンオブジェクトモデルを配信し、最適化された製品定義、製造準備、生産およびサービスを推進する動的な知識ベースの製品作成および意思決定支援を可能にする。
【０００７】
このようなＰＬＭソリューションは、製品のリレーショナルデータベースを備える。このデータベースは、テキストデータとテキストデータ間の関係とのセットを備える。データは、典型的には製品に関連する技術データを含み、このデータは、データの階層で順序付けされ、検索可能にするようにインデックス付けされている。このデータは、製品およびプロセスがモデル化されることが多いモデル化オブジェクトを表す。
【０００８】
製品構成、プロセス知識、およびリソース情報を含むＰＬＭ情報は、典型的には、共同で編集されることを目的とする。例えば、共同で作業する設計者チームは、リモートサイトからウェブ対応アプリケーションを通じて製品に関連する共有情報にアクセスすることによって、製品の設計に個々に貢献できる。各ユーザまたはリモートサイトは、システムプラットフォームに別個に登録され、各々は、このプロジェクトのアプリケーション（複数）用のウェブサーバサービスのそれぞれのセットを実装する責任を負う。ユーザは、元々他のアプリケーション用に実装された既存のウェブサービスを有することもあるが、このようなウェブサービスを現行のプロジェクトに再使用または共有するための機構がない。プラットフォームのクライアントまたはアプリケーションにおいて、ユーザが、既存のウェブサービスをコピーするか或いは活用する必要がある。
【０００９】
現在のところ、コンポーネント陳腐化情報は、権威のあるソースがほとんどない状態でかなり断片化されている。いくつかのコンポーネントディストリビュータは、この情報を追跡するが、この追跡はさらなる断片化に寄与しているにすぎない。この情報の流れを標準化するＲｏｓｅｔｔａＮｅｔによって行われる機能がいくつかあるが、その採用は幾分少ない。
【発明の概要】
【発明が解決しようとする課題】
【００１０】
陳腐化情報を伝達するための現在のソリューションは、媒介者(intermediaries)に依存する。陳腐化情報を必要とするコンポーネントのユーザは、この情報を取得するために複数のソースに頼らなければならない。コンポーネントの製造業者は、陳腐化に関する情報を伝達したいであろうが、この情報を送るための標準化された公平で信頼できるレジストリが不足している。
【００１１】
本発明は、改善されたコンポーネント陳腐化レジストリを提供するための方法およびそのシステムに関する。
【００１２】
本発明の実施形態は、コンポーネントの製造業者ならびにコンポーネントのユーザが、ハッシュタグを使用して陳腐化情報を中央レジストリにポスト（ｐｏｓｔ）できるようにさせる。所与のコンポーネントに対して、同じまたは同様のハッシュタグを有するいくつかのポストを分析することによって、レジストリがコンポーネントの陳腐化状態を予測することが可能となる。これは、情報のクラウドソーシング(crowd-sourcing)と似通っている。任意には、製造業者は、ハッシュタグをクレームすることができ、従って、それぞれのハッシュタグのオーナーシップを維持できる。これは、いくつかの顧客に一度に（同時にまたは一緒に）陳腐化情報を伝達するチャネルを製造業者に提供する。
【００１３】
この発明の冒頭で、単純な機構−ハッシュタグを有するショートインターネットポストを提示する。これは、より多くのユーザが陳腐化情報を簡易にポストすることを容易に可能にする。第２に、これは、情報をポストする能力をあるユーザのみに制限せず、従って、その範囲を拡大し、結果的に情報の価値が拡大する。
【００１４】
本発明の実施形態は、コンピュータ方法、システム、装置およびコンピュータプログラム製品の形態をとる。各実施形態は、コンポーネント陳腐化情報を保持するための電子陳腐化レジストリを提供する。このレジストリは、コンポーネント陳腐化情報の異なる部分についてエントリを有する。レジストリ内の異なるエントリは、それぞれのコンポーネント専用ハッシュタグを対応する目的コンポーネントに用いる。実施形態は、エンドユーザが１または複数のハッシュタグを使用して、あるコンポーネントに関するコンポーネント陳腐化情報についてレジストリを検索できるようにする。
【００１５】
いくつかの実施形態は、グローバルコンピュータネットワークにおいて電子陳腐化レジストリをオンラインで提供する。電子陳腐化レジストリをオンラインで提供することは、ソーシャルネットワークサイトまたは同様の構造を通じて該レジストリへのアクセスを提供することを含むことができる。このような実施形態において、異なるエントリは、ソーシャルネットワークのさまざまな（１または複数の）メンバによる異なるポストである。
【００１６】
一態様に従って、レジストリの異なるエントリは、メッセージおよびメッセージのうちの１または複数についてのコメントを含む。実施形態は、異なるユーザがレジストリ内で異なるエントリ（メッセージおよびコメント）を作成できるようにする手段を提供する。実施形態は、それぞれのエントリがレジストリ内で作成される時（すなわち、他のユーザがエントリを作成してレジストリに付加する時に）、エンドユーザが、コンポーネント陳腐化情報を自動的に受信するように予約できるようにする手段を提供する。
【００１７】
別の態様に従って、実施形態はさらに、あるエンティティがそれぞれのコンポーネント専用ハッシュタグを維持することができるようにする。
【００１８】
いくつかの実施形態において、コンポーネント専用ハッシュタグは、コンポーネント識別子、コンポーネント部品番号または同様の産業上認識可能なコンポーネント参照番号を利用するか、あるいはそれらの形態をとる。
【図面の簡単な説明】
【００１９】
前述の説明は、同種の参照文字が異なる図全体にわたって同種の部分を指す、添付図面で図示されるように、本発明の例示的実施形態の以下のより詳細な説明によって明らかになる。図面は、必ずしも縮尺通りではなく、むしろ本発明の実施形態を図示することに重点が置かれている。
【図１】本発明の原理を示す概略図である。
【図２】本発明を具体化するコンピュータネットワークおよび陳腐化レジストリシステムの概略図である。
【図３】本発明を具体化する図２のネットワーク化システムにおけるコンピュータノードのブロック図である。
【図４】本発明のフロー図である。
【発明を実施するための形態】
【００２０】
本発明の例示的実施形態の説明は以下の通りである。
【００２１】
本明細書に列挙されたすべての特許、公開された出願および参考文献の教示は、それらのすべてが参照により組み込まれる。
【００２２】
本発明の実施形態は、製品設計の時間に正しいコンポーネントが選択されることを確実にすることによって製品設計の助けとなる。これはまた、在庫戦略がコンポーネントの陳腐化状態を考慮に入れることを確実にすることによって在庫管理にも役立つ。
【００２３】
中央レジストリが実施形態によって提供される。中央レジストリは、潜在的な陳腐化に関する通知を製造業者から受け取る。これは、２以上のやり方で陳腐化通知をブロードキャストする製造業者への負担を削減することができ、そして情報をポストするハッシュタグなどの、単純な機構を使用することができる。
【００２４】
製造業者は、情報を正当化するためにコンポーネントを登録するまたはクレームする（または再販業者は、製造業者の代わりにコンポーネントを登録するまたはクレームすることができる）。あるいは、このプロセスは、真正性はより低いが、それでもなお有用である、クラウドソーシングが行われてもよい。
【００２５】
主要な考えは、陳腐化情報をタグ付けして、関心のある第三者にブロードキャストし、そして関心のある第三者が陳腐化情報を検出／受信して、その情報を容易に処理できるようにするための単純な機構を使用することである。
【００２６】
従って、実施形態は、以下を含む。
ａ）陳腐なコンポーネントのフィードを提供するユーザインタフェース
ｂ）ユーザがハッシュタグを介して陳腐化情報を送ることができるようにさせるユーザインタフェース
ｃ）部品番号をハッシュタグとして使用する方法
【００２７】
本明細書で使用される「ハッシュタグ」は、一般に、ハッシュシンボル（＃）のプレフィックスを含む語句を指す。語句は、例えば、指定されたコンポーネントに関する情報を見つける際に使用するためのインデックスとして機能する。ハッシュタグ使用法の限定されない例は、以下に与えられている。しかしながら、本明細書で説明される実施形態は、ハッシュタグに限定されず、むしろデータをグループ化するおよび／またはデータを配置するための適した任意のインデックスを使用できることが理解される。
【００２８】
図１および図２に図示されているのは、本発明の限定されない例示的実施形態（陳腐化レジストリシステム４００）である。陳腐化レジストリシステム４００は、サーバ４０６およびサポートデータベース４０４から形成される。サーバ４０６は、グローバルコンピュータネットワーク（例えば、インターネット）４１２において情報共有通信(Information Sharing and Communication)サイト１００をホストする。情報共有通信サイト１００は、ソーシャルネットワーキングまたは等価のフォーラムとして構成される。例えば、情報共有通信サイト１００は、ユーザ（メンバ）がクライアントコンピュータ４１０を通じて、：
日付―時刻スタンプされた検索可能なメッセージの形式で情報（テキストおよび／またはイメージ）をポストし、
主題、トピックまたは他のカテゴリによるなどの、ポストされたメッセージ（「ポスト」とも呼ばれる）のグループ化を組織し、
ポストされたメッセージをトピック／カテゴリによって検索し、および
個々のユーザコメント（「ポスト」とも呼ばれる）をポストされた情報（メッセージへのコメントが付いたコメント、および別のコメントへのコメントが付いたコメントを含む）に付加する、
ことができるようにする。
【００２９】
データベース４０４は、ポストされた情報（即ち、メッセージおよびコメント）およびサポートメタデータ（例えば、カテゴリ、日付―時刻スタンプ、著者、以下でさらに説明されるハッシュタグメタデータなど）を格納して維持し、情報共有通信サイト１００のさまざまなスクリーンビューがクライアント／ユーザに表示されるようにできる。このようにして、情報共有通信サイト１００は、進行中の情報の交換を行うための会場(venue)および関連付けられた機構を提供する。特に、情報共有通信サイト１００は、進行中のコンポーネント陳腐化情報の交換を提供し、その程度までの情報共有通信サイト１００は、コンポーネントレジストリ１００である。
【００３０】
ユーザは、ホストされた専用のソーシャルネットワーク／フォーラム／会場のメンバになるために情報共有通信サイト／コンポーネントレジストリ１００に登録する。具体的には、エンティティ（例えば、相手先ブランド名製造業者またはＯＥＭ、コンポーネント製造業者、再販業者、団体など）は、商用（個人ではない）ユーザとして登録するか、または個人ユーザとして登録する。図１の例において、ユーザ１１５ａ，ｂ，．．．ｎはそれぞれ、そのように登録された情報共有通信サイト／コンポーネントレジストリ１００のメンバである。
【００３１】
情報共有通信サイト／コンポーネントレジストリ１００は、製品（または部品）陳腐化情報をサイト／レジストリ１００にポストするためのハッシュタグ機構をメンバ−ユーザ１１５ａ，ｂ，．．．ｎに提供する。一実施形態において、ハッシュタグ機構は、フォーマット：
＃ＡＢＣ．．．Ｘ
を使用する。
【００３２】
ここにハッシュシンボルは、共通のハッシュタグ技術であり、および、ＡＢＣ．．．Ｘは、関連付けられた陳腐化情報についてメンバ−ユーザが特定される指定である。例えば、ＡＢＣ．．．Ｘは、部品番号または他のコンポーネント識別子とすることができる。システム４００は、共通のハッシュタグプロトコルに従い、そしてＡＢＣ．．．Ｘを関連付けられた陳腐化情報のメタデータタグまたハイパーテキストリンクとして扱う。システム４００は、ＡＢＣ．．．Ｘを関連付けられたポストされた陳腐化情報のメタデータとしてデータベース４０４に格納する。＃ＡＢＣ．．．Ｘは、そのハッシュタグを使用するさまざまなポスト（メッセージ、オリジナルメッセージ、および後続のコメント）のインデックスとして機能する。ハッシュタグは、メッセージまたはコメントのコンテンツの最初、真ん中、または終わりに位置付けされる。
【００３３】
サイト／レジストリ１００のＯＥＭ、製品設計者、および他のリーダ−ユーザ１２０は、特定のコンポーネント陳腐化情報にインデックスを付けるそれぞれのハッシュタグを使用して、陳腐化情報をレジストリ１００から検索して取り出す。リーダ−ユーザ１２０は、クライアントコンポーネント４１０経由でサイト／レジストリ１００にアクセスする。さらに、リーダ−ユーザ１２０は、サイト／レジストリ１００に予約して、システム４００は、ポストユーザ１１５がレジストリ１００内で新しいポストを作成する時、新しくポストされた陳腐化情報をこれらの予約ユーザに転送できるようにする。例えば、登録プロセス時に、エンドユーザは、レジストリ１００内のある（特定の個々の）コンポーネント、コンポーネントのサブセットおよび／またはすべてのコンポーネントに関する陳腐化情報の予約者(subscriber)として登録する。このような特徴を実装するために周知の予約技術が利用される。
【００３４】
結果として、製品設計者は、設計時間において関連する陳腐化情報をレジストリ１００から読み取って正しい適切なコンポーネントが選択されることを確実にすることができる。在庫マネージャは、それらの在庫戦略においてレジストリ１００からのコンポーネント陳腐化情報を使用して、コンポーネントの陳腐化状態を考慮に入れることもできる。リーダ−ユーザ１２０は、レジストリ１００内の同じまたは同様のハッシュタグを用いていくつかのポストを分析して、それぞれのコンポーネントの陳腐化状態を予測することができる。
【００３５】
メンバ−ユーザ登録プロセスにおいて、（例えば、）製造業者１１５は、あるハッシュタグを「クレームする」ことができ、従って、そのハッシュタグのオーナーシップを維持できる。これは、そのハッシュタグを用いてポストされた陳腐化情報に一定レベルの一貫性および確実性を与える。そうでなければ、他のユーザ１１５は、同じコンポーネントに関する陳腐化情報をポストできるが、わずかに異なるハッシュタグを使用する。所与のコンポーネントに対して、リーダーユーザ１２０および／またはシステム４００は、レジストリ１００内の同じまたは同様のハッシュタグを用いていくつかのポストを分析して、コンポーネントの陳腐化状態を予測できる。
【００３６】
引き続き図２について、コンポーネント陳腐化レジストリ１００に上述したプロセスおよび／または上述したプロセスに関連され得る付加的なプロセスなどを提供する時に使用するための例示的なシステム４００の概略ブロック図が示されている。例示的な実施形態において、メモリ領域４０２は、（メッセージおよびコメントを含む）コンポーネント陳腐化ポスト、関連するハッシュタグデータおよび他のメタデータおよび／またはメンバ−ユーザデータなどの、データをレジストリ１００に格納する時に使用するための１または複数の記憶デバイス４０４を含む。いくつかの実施形態において、メモリ領域４０２は、サーバ４０６に結合され、今度はサーバ４０６が、ネットワーク４１２を介してアドミニストレータシステム４０８および／またはユーザ（クライアント）システム４１０に結合される。記憶デバイス４０４は、１または複数のデータベースとして具体化され、単一または複数の地理的場所に配置され、またはサーバ４０６と統合される。
【００３７】
認識されるように、ネットワーク４１２は、インターネットなどのパブリックネットワーク、またはＬＡＮもしくはＷＡＮネットワークなどのプライベートネットワーク、またはそれらの任意の組み合わせとすることができ、ＰＳＴＮまたはＩＳＤＮサブネットワークを含むこともできる。ネットワーク４１２は、Ｅｔｈｅｒｎｅｔ（登録商標）ネットワークなどの有線とすることもでき、またはＥＤＧＥ，３Ｇおよび４Ｇ無線セルラーシステムを含むセルラーネットワークなどの無線とすることもできる。無線ネットワークは、ＷｉＦｉ（登録商標）、Ｂｌｕｅｔｏｏｔｈ（登録商標）、または周知であるその他の無線方式とすることもできる。このように、ネットワーク４１２は、単に例示的であり、本願の技術の進歩の範囲をなんら限定するものではない。
【００３８】
当業者には認識されるように、アドミニストレータシステム４０８および／またはユーザシステム４１０は、図３を参照して以下に説明されるようなコンピュータノードか、または周知であるその他のコンピューティングシステムとすることができる。さらに、アドミニストレータシステム４０８および／またはユーザシステム４１０は、本明細書で説明されるプロセスおよび／またはこれら説明されることに関連される任意の付加的なプロセスを実行するように構成されることが理解される。
【００３９】
サーバ４０６は、本明細書で説明されるプロセスを実行するコンピュータ可読命令を格納し、およびこれらの命令をネットワーク４１２経由でアドミニストレータシステム４０８および／またはユーザシステム４１０に提供する。さらに、サーバ４０６は、データを必要に応じてメモリ領域４０２からアドミニストレータシステム４０８およびユーザシステム４１０に提供することもできる。このため、図２は、クラウドコンピューティング、分散コンピューティングなどを介して陳腐化レジストリシステム４００の実装を含む。
【００４０】
図３は、例示的なコンピュータノードまたはステーション３００の概略ブロック図であり、本明細書ではコンピュータシステムと呼ぶこともできる。本明細書で使用されるように、用語「コンピュータノード」、「コンピュータステーション」および「コンピュータシステム」は、一般に、本書で説明されるプロセスおよび／またはこれら説明されたことに関連される付加的な任意のプロセスを実行するために使用される任意の適切なコンピューティングデバイスに関する。
【００４１】
例示的実施形態において、コンピュータステーション３００は、本書で説明されるプロセスおよび／またはそれら説明されたことに関連される任意の付加的なプロセスを遂行する１または複数のプロセッサ３０２（ＣＰＵ）を含む。用語「プロセッサ」は、一般に、システムおよびマイクロコントローラ、縮小命令セット回路（ＲＩＳＣ）、特定用途向け集積回路（ＡＳＩＣ）、プログラマブル論理回路、および／または本書で説明される機能を実行する能力があるその他の回路またはプロセッサを含む、任意のプログラマブルシステムを指すことを理解されたい。上記の例は、単に例示的であり、従って、用語「プロセッサ」の定義および／または意味をなんら制限することを意図しない。
【００４２】
本書で説明されるプロセスおよび／または説明されることに関連される任意の付加的なプロセスのステップは、例えば、システムバス３０６によってプロセッサ３０２に動作可能および／または通信可能に結合されたメモリ領域３０４においてコンピュータ実行可能命令として格納される。本書で使用される「メモリ領域」は、一般に、アライメントツールを使用して１または複数の二次オブジェクトを自動的に位置合わせする場合において、支援する１または複数のプロセッサによって実行可能なプログラムコードおよび命令を格納する任意の手段を指す。メモリ領域３０４は、１または２以上のメモリ形態を含むことができる。例えば、メモリ領域３０４は、不揮発性ＲＡＭ、磁気ＲＡＭ、強誘電性ＲＡＭ、および／または他の形態のＲＡＭを含むことができる、ランダムアクセスメモリ（ＲＡＭ）３０８を含む。メモリ領域３０４は、リードオンリメモリ（ＲＯＭ）３１０および／またはフラッシュメモリおよび／または電気的消去可能プログラマブルリードオンリメモリ（ＥＥＰＲＯＭ）も含む。ハードディスクドライブ（ＨＤＤ）３１２などの、その他の適切な磁気、光、および／または半導体メモリは、単独または他の形態のメモリとの組み合わせにおいてメモリ領域３０４に含まれる。ＨＤＤ３１２は、プロセッサ３０２にメッセージを送信およびプロセッサ３０２からメッセージを受信する場合において使用するためのディスクコントローラ３１４にも結合される。さらに、メモリ領域３０４は、適切なカートリッジディスク、ＣＤ−ＲＯＭ、ＤＶＤ、またはＵＳＢメモリなどの、デタッチャブルまたはリムーバブルメモリ３１６にもなるし、または含む。上記の例は、単に例示的であり、従って、用語「メモリ領域」の定義および／または意味をなんら制限することを意図しない。
【００４３】
コンピュータステーション３００は、表示コントローラ３２０に動作可能に結合されるなどで結合された表示デバイス３１８も含む。表示コントローラ３２０は、表示デバイス３１８によって表示されるためのシステムバス３０６を介してデータを受信する。表示デバイス３１８は、モニタ、テレビディスプレイ、プラズマディスプレイ、液晶ディスプレイ（ＬＣＤ）、発光ダイオード（ＬＥＤ）に基づくディスプレイ、有機ＬＥＤ（ＯＬＥＤ）に基づくディスプレイ、ポリマーＬＥＤに基づくディスプレイ、表面伝導型電子放出に基づくディスプレイ、投影および／または反射画像を含むディスプレイ、またはその他の適切な電子デバイスまたは表示機構であるが、これらに限定されない。さらに、表示デバイス３１８は、関連付けられたタッチスクリーンコントローラを有するタッチスクリーンを含み得る。上記の例は、単に例示的であり、従って、用語「表示デバイス」の定義および／または意味をなんら制限することを意図しない。
【００４４】
加えて、コンピュータステーション３００は、（図２に示した）ネットワークとの通信に使用するためのネットワークインタフェース３２２を含む。さらに、コンピュータステーション３００は、キーボード３２４、および／またはローラーボール、マウス、タッチパッドなどのポインティングデバイス３２６などの１または複数の入力デバイスを含む。入力デバイスは、入力／出力（Ｉ／Ｏ）インタフェース３２８によって結合されて制御され、インタフェース３２８はシステムバス３０６にさらに結合される。
【００４５】
表示デバイス３１８、キーボード３２４、ポインティングデバイス３２６、ならびに表示コントローラ３２０、ディスクコントローラ３１４、ネットワークインタフェース３２２、およびＩ／Ｏインタフェースの一般的な特徴および機能性の説明は、これらの特徴が周知であるので本書では簡潔にするために省略される。
【００４６】
陳腐化レジストリシステム４００およびレジストリ１００において使用するためのシステム、方法、装置、コンピュータプログラム製品、および非一過性コンピュータ可読記憶媒体の例示的実施形態が本書に詳細に説明されている。これらのシステム、方法、装置、コンピュータプログラム製品、およびコンピュータ可読記憶媒体は、本書で説明された特定の実施形態に限定されず、むしろ、その方法の動作、プログラム製品および／または記憶媒体、ならびにそのシステムおよび／または装置のコンポーネントは、本書で説明された他の動作および／またはコンポーネントから独立および別個に利用される。さらに、説明された動作および／またはコンポーネントは、他のシステム、方法、装置、プログラム製品および／または記憶媒体において定義され、またはそれらの組み合わせにおいて使用され得るし、本書で説明されたようなシステム、方法、装置、プログラム製品および記憶媒体のみを用いた実施に限定されない。
【００４７】
本書で説明されたようなコンピュータまたはコンピュータシステムは、少なくとも１つのプロセッサまたは処理ユニットおよびシステムメモリを含む。コンピュータまたはコンピュータシステムは、典型的には、非一過性コンピュータ可読媒体の少なくとも一部の形態を有する。例として、コンピュータ可読媒体は、コンピュータ記憶媒体および通信媒体を含むが、これらに限定されない。コンピュータ記憶媒体は、コンピュータ可読命令、データ構造、プログラムモジュール、または他のデータなどの情報を記憶するための任意の方法または技術で実装される揮発性および不揮発性、リムーバブルおよびノンリムーバブル媒体を含む。通信媒体は、典型的には、コンピュータ可読命令、データ構造、プログラムモジュール、または他のデータを搬送波などの変調データ信号または他のトランスポート機構に具体化し、および任意の情報配信媒体を含む。当業者は、信号の特性のうちの１または複数が信号の情報をエンコードするような方法で設定または変更される、変調データ信号に精通している。上記のいずれの組み合わせもコンピュータ可読媒体の範囲内に含まれる。
【００４８】
図４について、陳腐化レジストリシステム４００およびレジストリ１００の制御およびデータの例示的なフローが与えられている。システム４００は（モジュール２４０において）ユーザインタフェースを提供し、およびさまざまなユーザがサイト／レジストリ１００に登録することを可能にする。モジュール２４０は、ユーザ名、ユーザタイプ（個人、エンティティなど）、特定のハッシュタグへのクレーム、予約の詳細などの、登録情報を（図２に示した）データベース４０４に格納できる。
【００４９】
適当な時に、システム４００／レジストリ１００は、コンポーネント陳腐化情報を伝達するモジュール２５０においてユーザ入力をポストの形式で受信する。特に、モジュール２５０は、上述したようなそれぞれのコンポーネント専用ハッシュタグを有するユーザメッセージおよび／またはコメントを受信するユーザインタフェースをサポートする。それに応じて、主題メッセージまたはコメントについて、モジュール２５１は、ハッシュタグを解釈し、対応するメタデータタグおよびハイパーリンクを形成し、および同じデータベース４０４に格納する。そのように受信された各ユーザメッセージまたはコメントについて、モジュール２５０、２５１は、ループ２５３を介してシステムレジストリ１００およびサポートデータベース４０４を維持する。異なる実施形態は、メンバ−ユーザおよび非メンバ−ユーザも一様に、またはメンバ−ユーザのみがコンポーネント陳腐化情報をレジストリ１００にポストできるようにさせる。
【００５０】
ユーザクエリ入力は、レジストリ１００ユーザインタフェースを通じて、モジュール２６０において受信される。特に、自動化された予約および／またはユーザ検索要求は、モジュール２６０をトリガして、要求されたコンポーネントのハッシュタグを使用してデータベース４０４を検索する。モジュール２６０は、周知の検索技術および共通のユーザ−クエリ−検索インタフェースを利用する検索エンジンとして実装されることができる。システム４００は、２６２においてハッシュタグ検索結果を生成して、レジストリ１００内のさまざまなポストからの対応するコンポーネント陳腐化情報をユーザに出力する（表示する）。
【００５１】
本発明は、例示的なコンピュータシステム環境に接続して説明されているが、本発明の実施形態は、他の多数の汎用または専用コンピュータシステム環境または構成を用いて動作可能である。コンピュータシステム環境は、本発明の任意の態様の使用または機能性の範囲に関してなんら限定を示唆することを意図しない。さらに、コンピュータシステム環境は、例示的なオペレーティング環境において図示されたコンポーネントの任意の１つまたは組み合わせに関する依存性または要件を有するものと解釈されるべきでない。本発明の態様を用いて使用するのに適した周知のコンピュータシステム、環境、および／または構成は、パーソナルコンピュータ、サーバコンピュータ、ハンドヘルドまたはラップトップデバイス、マルチプロセッサシステム、マイクロプロセッサベースのシステム、セットトップボックス、プログラマブル消費家電、モバイル電話、ネットワークＰＣ、ミニコンピュータ、メインフレームコンピュータ、上記のいずれかのシステムまたはデバイスを含む分散コンピューティング環境などを含むが、これらに限定されない。
【００５２】
本発明の実施形態は、プログラムコンポーネントまたはモジュールなどの、１または複数のコンピュータまたは他のデバイスによって実行されるコンピュータ実行可能命令の一般的な状況において説明される。本発明の態様は、任意の数および組織の非一過性コンポーネントまたはモジュールに実装される。例えば、本発明の態様は、本書で図示および説明された特定のコンピュータ実行可能命令または特定のコンポーネントまたはモジュールに限定されない。本発明の代替的実施形態は、本書で図示および説明されたものよりも多いまたは少ない機能性を有する異なるコンピュータ実行可能命令またはコンポーネントを含むことができる。
【００５３】
本書で図示および説明された本発明の実施形態における動作の実行または遂行の順序は、特に指定のない限り必須ではない。つまり、その動作は、特に指定のない限り任意の順序で遂行されてよく、本発明の実施形態は、本書で説明されたものよりも多いまたは少ない動作を含んでよい。例えば、特定の動作を他の動作の前、同時、または後に実行または遂行することは、本発明の範囲内であることが企図される。
【００５４】
本発明の態様または実施形態の要素を紹介する場合、冠詞「ａ」、「ａｎ」、「ｔｈｅ」、および「ｓａｉｄ」は、その要素が１または複数存在するという意味を意図する。用語「備える(comprising)」、「含む(including)」および「有する(having)」は、内包的であることを意図し、記載された要素以外の付加的な要素もあり得ることを意味する。
【００５５】
この明細書は、最良の形態を含む本発明を開示し、および当業者が任意のデバイスまたはシステムの作成および使用と任意に組み込まれた方法の実行とを含む、本発明を実施することを可能にするための例を使用する。本発明の特許可能な範囲は、特許請求の範囲によって規定され、当業者が想起する他の例を含む。そのような他の例が、特許請求の範囲の文字通りの言葉と相違ない構造的要素を有する場合、または特許請求の範囲の文字通りの言葉と本質的な差がない等価の構造的要素含む場合、そのような他の例は、特許請求の範囲の範囲内であることを意図する。
【００５６】
本発明は、その例示的実施形態を参照して詳細に説明されているが、添付の特許請求の範囲によって含まれる本発明の範囲から逸脱しない範囲において形態および詳細のさまざまな変更が行われてよいことが当業者に理解される。
【図１】
2015118703.tif 000003
【図２】
2015118703.tif 000004
【図３】
2015118703.tif 000005
【図４】
2015118703.tif 000006
【外国語明細書】
2015118703000001.pdf